(57)【要約】  本発明は、超低周波交番磁場によって伝達され、人体の部分に適用されることを意図した超低周波パルス磁場を生成するための装置（２）であって、逆極性の角度磁石セクタ（６−１〜６−４）の複数の対であって、角度磁石セクタの対は、１つの同じ回転軸（Ｘ−Ｘ）を中心として互いから角度方向に離間されており、回転軸に関して所与の速度で回転するように設定されることによって、所定の周波数における交番磁場を生成する、角度磁石セクタの複数の対と、角度磁石セクタの回転軸を中心とする少なくとも１つの導電性ワイヤコイル（１４）であって、パルス電流を供給されることによって、角度磁石セクタを回転させる設定によって生成された交番磁場に重ね合わされるパルス磁場を生成する、導電性ワイヤコイルとを備える、装置に関する。
2021519658.tif 000002
【特許請求の範囲】
【請求項１】
超低周波交番磁場によって伝達され、人体の部分に適用されることを意図した超低周波パルス磁場を生成するための装置（２）であって、
逆極性の角度磁石セクタ（６−１〜６−４）の複数の対であって、前記角度磁石セクタの対は、１つの同じ回転軸（Ｘ−Ｘ）を中心として互いから角度方向に離間されており、前記回転軸に関して所与の速度で回転するように設定されることによって、所定の周波数における交番磁場を生成する、前記角度磁石セクタの複数の対と、
前記角度磁石セクタの回転軸を中心とする少なくとも１つの導電性ワイヤコイル（１４）であって、パルス電流を供給されることによって、前記角度磁石セクタを回転させる前記設定によって生成された前記交番磁場に重ね合わされるパルス磁場を生成する、前記導電性ワイヤコイルとを備える、装置。
【請求項２】
前記導電性ワイヤコイル（１４）は、２０ヘルツ（Ｈｚ）の周波数で、１ミリ秒（ｍｓ）期間未満の規則的なパルスの形式のパルス電圧が供給され、１ミリテスラ（ｍＴ）〜２ｍＴの磁場を生成するために十分な強度を生成する、請求項１に記載の装置。
【請求項３】
前記パルス電流のパルス周波数を動作期間中に変化させる手段をさらに備える、請求項２に記載の装置。
【請求項４】
前記角度磁石セクタの対の回転周波数を動作期間中に変化させる手段をさらに備える、請求項１〜３のいずれか１項に記載の装置。
【請求項５】
前記角度磁石セクタの対の回転周波数は、１０Ｈｚ以下である、請求項１〜４のいずれか１項に記載の装置。
【請求項６】
前記導電性ワイヤコイル（１４）は、前記角度磁石セクタの回転軸を中心とする円形のコイルである、請求項１〜５のいずれか１項に記載の装置。
【請求項７】
前記導電性ワイヤコイル（１４）は、８の字型のコイルである、請求項１〜６のいずれか１項に記載の装置。
【請求項８】
前記角度磁石セクタの各々は、１つの同一の幾何学的形状を有し、前記回転軸に関する９０°の内部開角度（α）と、前記回転軸と反対にある自由端部に関する２０°〜５０°の間の外部開角度（β）と、前記角度磁石セクタの自由端部から前記回転軸を分離する距離（Ｄ／２）の１／３と２／３との間の距離（ｄ）に亘って延在する半径を画定する２つの側端部（８−１〜８−４）と、を備える、請求項１〜７のいずれか１項に記載の装置。
【請求項９】
前記角度磁石セクタの対の背面に配置される磁気回路層をさらに備える、請求項１〜８のいずれか１項に記載の装置。
【請求項１０】
前記角度磁石セクタの対の周りに配置される磁気シールド層をさらに備える、請求項１〜９のいずれか１項に記載の装置。
【発明の詳細な説明】
【技術分野】
【０００１】
本発明は、磁気療法の一般的な分野に関し、とりわけ、鎮痛および消炎作用を生み出す目的で人体の部分に当てることを意図した低周波正弦波誘導電流を生成する装置に関する。
【背景技術】
【０００２】
公知のように、誘導電流を生成するために、磁気治療では、とりわけ、可変磁場を使用して関節痛および抹消関節痛を和らげており、この可変磁場は、磁気源である、コイルまたは磁石によって生成される。磁石について、これらは、動作して誘導電流を生成するように設定される。
【０００３】
磁場は、また、体の末端部（手足）だけでなく異なる臓器においても血流を調整する微小循環に影響を与える。２０１２年のファンク（Ｆｕｎｋ）の研究によって示されるように、１０〜１５ミリテスラ（ｍＴ）で４〜１２ヘルツ（Ｈｚ）の間の周波数において変動する正弦波磁場を５分間照射することによって健康な被験者の手の微小循環が増加した。微小循環不全に特有の病状を有する若年性１型糖尿病患者の母集団において、２００８年のニコラエヴァ（Ｎｉｋｏｌａｅｖａ）らによる研究もまた、プラセボ装置によって照射された集団と比較して、４５ｍＴの１６Ｈｚまでの正弦波磁場を１５分間照射された後の脚の皮膚の微小循環が著しく増加したことを示した。
【０００４】
磁気療法は、治療する体の部分に亘って動かす装置（通常はポータブル装置）を使用して行われ、この装置は、例えば回転磁石などの磁石およびモータを備えており、これによって、これらの磁石が、変化の割合に比例する電界を誘導する可変磁場を生成することが可能となる（ファラデーの法則）。
【０００５】
特許文献１からポータブル装置は、治療目的として正弦波磁場を生成することは公知であり、この装置は、同一の回転軸を中心とする同一の幾何学的形状の平坦な４つの角度磁石セクタであって互いから角度方向に離間される角度磁石セクタと、逆の極性を有する２つの隣接する角度磁石セクタとを備える。このように配置されることによって、角度磁石セクタは、モータによって回転駆動され、所定の周波数の正弦波磁場が生成される。
【０００６】
得られる治療効果が、角度磁石セクタの回転によって誘導される電流に関係することも公知であり、この電流の強度は、特定のしきい値を超える。さらに、誘導電流が磁石の線形な移動速度に比例することは公知である。
【先行技術文献】
【特許文献】
【０００７】
【特許文献１】国際公開第２００８／０１４９０２号
【発明の概要】
【発明が解決しようとする課題】
【０００８】
しかしながら、所与の回転速度について、線形な移動速度は、回転軸よりも角度磁石セクタの端部における方がより大きい。さらに、特許文献１に記載される装置により正弦波磁場を得るためには、磁石を角度セクタの形態において使用することが必要となり、これは、さらに装置の中央における磁場を減少させる。
【０００９】
したがって、特許文献１に記載される装置は、装置の中央における誘導電流の強度が、治療効果を得るために必要なしきい値を超えないという欠点を有する。さらに、装置の中央は、通常、装置のユーザの要求が最も高い領域である。ユーザは、当然に、治療する痛みまたは病状に装置の中央を合わせる傾向がある。
【００１０】
本文献において記載される装置のさらなる欠点は、装置の表面に近い区域において磁石間の空間が二重ピーク信号を生成すること、つまり、重大な高調波歪みである。
さらに、この装置の治療効果は、低周波、好ましくは、１０Ｈｚ未満において得られるので、磁石の回転速度を上げることによって磁場
【００１１】
【数１】
2021519658.tif 000003
を増大させることは望ましくない。結果として、磁場
【００１２】
【数２】
2021519658.tif 000004
の増大は、得られる治療効果を低減させる。
【課題を解決するための手段】
【００１３】
したがって、本発明の目的は、上述した欠点を有しない磁気療法のための装置を提案することである。
本発明によれば、目的は、超低周波交番磁場によって伝達され、人体の部分に当てることを意図した超低周波パルス磁場を生成する装置によって、達成され、装置は、
逆の極性の角度磁石セクタの複数の対であって、角度磁石セクタの対は、１つの同じ回転軸を中心として互いから角度方向に離間されており、回転軸に対して所定の速度で回転するように設定されることによって、所定の周波数における交番磁場を生成する、角度磁石セクタの複数の対と、
角度磁石セクタの回転軸を中心とする少なくとも１つの導電性ワイヤコイルであって、パルス電流を供給されることによって、角度磁石セクタを回転させる設定によって生成された交番磁場に重ね合わされるパルス磁場を生成する、導電性ワイヤコイルと、を備える。
【００１４】
角度磁石セクタの回転軸を中心とし、パルス電流を供給された導電性ワイヤコイルは、装置の動作ゾーンの中央において、強い誘導電流を生成し、これによって、角度磁石セクタの回転によって誘導される電流の不均一性がオフセットされる。また、導電性ワイヤコイルは、角度磁石セクタの周辺においてごく僅かな効果を有し（後者とは反対に）、これは、これらの２つの要素の関連によって装置の動作ゾーンのすべての点において強い誘導電流が得られることを意味する。したがって、誘導電流の強度は、回転軸と角度磁石セクタの自由端部との間の所定のしきい値よりも上にある。
【００１５】
さらに、発明者は、交番磁場によって伝達された低周波パルス磁場を生成することが、装置が適用された人体の部分における血液の微小循環を増加させることを確認した。とりわけ、測定は、角度磁石セクタ単体または導電性ワイヤコイル単体の設定を伴うときよりも、殊の外、血液の微小循環における有意に大きな増加を示した。これらの測定の結果は、血液の微小循環に関する効果が２つの磁界の各々の効果を加算したものよりも大きいことを証明する。
【００１６】
結果として、導電性ワイヤコイルにパルス電流を供給することによる磁場における急激な変化の本発明の装置による生成は、鎮痛および消炎効果を有する誘導電圧の生成を可能にする。
【００１７】
好適には、導電性ワイヤコイルに２０Ｈｚの周波数で１ミリ秒（ｍｓ）期間の規則的なパルスの形式のパルス電流が供給され、１ｍＴ〜２ｍＴの磁場の生成を可能にする強度を生成する。極めて狭い直径の導電性ワイヤコイルは、弱い磁流および低エネルギー消費にもかかわらず、強い誘導電流が得られることを可能にする。システムは、したがって、磁場の最大値のごく僅かな修正を形成し、ポータブルで自己充足的である。
【００１８】
さらに、好適には、装置は、パルス電流のパルス周波数を動作期間中に変化させる手段をさらに備える。この特徴によって、より適合した信号によって、周波数スペクトルを様々な病状に適するように修正することが可能となる。
【００１９】
さらに、好適には、装置は、角度磁石セクタの対の回転周波数を動作期間中に変化させる手段をさらに備える。したがって、生成された正弦波信号は、各々が効率的と証明された様々な周波数を通じて移動する。
【００２０】
角度磁石セクタの対の回転周波数は、有利には、１０Ｈｚ以下である。
導電性ワイヤコイルは、角度磁石セクタの回転軸を中心とする円形のコイルであってもよい。導電性ワイヤコイルは、特定の点における効果の最大化を可能にする８の字型のコイル（いわゆる「バタフライ」コイル）であってもよい。
【００２１】
さらに好適には、角度磁石セクタの各々は、同一の幾何学的形状を有し、回転軸に関する９０°の内部開角度と、回転軸と反対にある自由端部に関する２０°〜５０°の間の外部開角度と、角度磁石セクタの自由端部から回転軸を分離する距離の１／３と２／３との間の距離に亘って延在する半径を画定する２つの側端部と、を備える。角度磁石セクタのこの特定の形状は、角度磁石セクタの回転軸と自由端部との間の所定のしきい値を超える強度を有する正弦波磁場が得られることを可能にする。
【００２２】
装置は、角度磁石セクタの対の背面に配置される磁気回路層をさらに備えることができる。装置は、角度磁石セクタの対の周りに配置される磁気シールド層も備えることができる。
【００２３】
本発明の他の特徴および利点は、限定するものではないが、実施例を図示する添付の図面を参照して下記の説明から明らかになるであろう。
【図面の簡単な説明】
【００２４】
【図１】本発明の一実施形態に応じた装置を示す概略図。
【図２】図１のＩＩ‐ＩＩ線に沿った断面図。
【図３Ａ】本発明の装置によって生成されるパルス磁場の例を示す図。
【図３Ｂ】本発明の装置によって生成されるパルス磁場の例を示す図。
【図４】本発明の装置、回転磁石を有する装置、および導電性ワイヤコイルを有する装置によって得られる血液の微小循環を示す曲線を示す図。
【発明を実施するための形態】
【００２５】
図１および図２は、概略的に、超低周波交番磁場によって伝達され、人体の部分に当てることを意図した超低周波パルス磁場を生成する本発明のポータブル装置２を図示する。
装置２は、出願人によって出願された特許出願第ＦＲ１７６０４４３号において記載されるように、角度磁石セクタ６−１〜６−４の２つの対がその中で組み立てられるケース４を備える。
【００２６】
同特許出願第ＦＲ１７６０４４３号において記載されるように、角度磁石セクタ６−１〜６−４は、１つの同一な幾何学的形状を有し、１つの同一な回転軸Ｘ−Ｘを中心とし、直径Ｄおよび中心Ｏの円Ｃ内に収まっている。
【００２７】
より詳細には、角度磁石セクタ６−１〜６−４は、回転軸Ｘ−Ｘに関して互いから角度方向に離間しており、２つの隣り合った角度磁石セクタは逆の極性（北または南）を有するように配置される。
【００２８】
装置２は、角度磁石セクタの対を回転軸Ｘ−Ｘに関して回転させる設定手段も備える。一実施形態において、これらの手段は、電気モータおよびベルト伝動の形態である。明らかに、他のいかなる手段もこの回転の設定を確実にすることが予想される。
【００２９】
好適には、４つの角度磁石セクタ６−１〜６−４の各々は、それらが内に収まっている円Ｃの対称半径Ｒ−１〜Ｒ−４それぞれに対して対称な形状である。
角度磁石セクタ６−１〜６−４の各々は、角度磁石セクタの対称半径に対して対称な２つの側端部８−１〜８−４を備え、これらは、２つの隣接する角度磁石セクタの対応する側端部と対向するか、または、直接的に接触する。
【００３０】
さらに、角度磁石セクタの各々の２つの側端部８−１〜８−４は、円Ｃの半径Ｄ／２の２／３に対応する距離ｄ（例えば、角度磁石セクタの自由端部から回転軸Ｘ−Ｘを分離する距離の２／３）に亘って延在する結合半径（円Ｃの中心Ｏと側端部の点１０−１〜１０−４との間で区切られている、中心Ｏから最も遠い距離）を画定する。実際的な理由により、角度磁石セクタの点１０−１のみが図１に示される。
【００３１】
さらに、角度磁石セクタの各々の側端部８−１〜８−４同士はともに９０°の角度αを形成する（回転軸Ｘ−Ｘに関する角度磁石セクタの各々の内部開角度αは、９０°であるとも言える）。
【００３２】
好適にはさらに、角度磁石セクタの各々は、回転軸Ｘ−Ｘと反対にある自由端部に関して、２０°〜５０°の間の、好適には、４５°の外部開角度βをさらに備える。
言い換えると、角度磁石セクタ６−１〜６−４の各々の自由端部は、好適には、これらの間に角度磁石セクタが収まっている、円Ｃ上に位置する２点１２ａ，１２ｂの間において区切られている。これらの点は、対称であり、点Ｏ，１２ａおよび点Ｏ，１２ｂによって形成される半径同士がともに２０°から５０°の間の、好適には４５°の角度βを形成する。
【００３３】
本発明の装置の角度磁石セクタ６−１〜６−４は、好適には、３００回毎分（ｒｐｍ）の速度で回転軸Ｘ−Ｘに対して回転するように設定され、好適には、１０Ｈｚ以下の周波数の正弦波誘導電流を生成する。装置の角度磁石セクタ６−１〜６−４のこの回転設定は、交番磁場を生成する。
【００３４】
図２に示すように、本発明の装置２は、角度磁石セクタの回転軸Ｘ−Ｘを中心とし、パルス電流を供給される少なくとも１つの導電性ワイヤコイル１４をさらに備える。
コイル１４は、例えば、角度磁石セクタの回転軸を中心とする円形のコイルである。これは、単層に巻いた０．５ミリメートル（ｍｍ）未満の直径を有する銅線からなっており、その外側の直径は、磁石の外側の直径を覆う。
【００３５】
このコイルには、パルス電圧も供給される。「パルス電圧」とは、時間に亘る、規則的な、一様のパルスの形式の電圧における変化を意味し、そのパルス期間（発生時間）およびパルス繰り返し時間（周波数）が決定され得る。しかしながら、これらは、公知の非規則的なパルスであってもよく、どのように生成するかについても公知である。
【００３６】
好適には、導電性ワイヤコイル１４に供給するパルス電圧は、１ｍｓ期間未満、２０Ｈｚの周波数の規則的なパルスの形式であり、最大１ｍＴ〜２ｍＴの磁場を生成するのに十分な強度を生成する。
【００３７】
このようにして、導電性ワイヤコイル１４は、角度磁石セクタ６−１〜６−４を回転させる設定によって生成された交番磁場の上に重ね合わされるパルス磁場を生成する。
導電性ワイヤコイルは、角度磁石セクタの回転軸Ｘ−Ｘを中心とする８の字型のコイル（「バタフライ」タイプのコイル）であってもよいことに留意されたい。本発明の装置は、導電性ワイヤコイル１４に供給するパルス電流のパルス周波数および／または角度磁石セクタ６−１〜６−４の対の回転周波数を動作期間中に変化させる手段（マイクロコントローラタイプの）をさらに備える点についても留意されたい。
【００３８】
この特徴は、動作期間中に装置によって生成される磁場を変化させる点においてとりわけ有利である。
角度磁石セクタ６−１〜６−４は、コイル１４への電気の供給とは独立した電気モータ（図示せず）によって回転軸Ｘ−Ｘに関して回転駆動される点についてさらに留意されたい。また、コイル１４に電源が投入された場合、その極性に変化はないままである。とりわけ、本発明の装置が動作中の場合、コイルには、いかなる極性逆転も生じない。
【００３９】
図３Ａおよび図３Ｂは、これらの２つの磁界の重ね合わせによって生成される磁場（時間に応じた）の例を図示する。
とりわけ、図３Ａは、本発明の装置によってその中央、すなわち、角度磁石セクタの回転軸Ｘ−Ｘにおいて生成された誘導電流Ｃ１を示す曲線の例を示す。図３Ｂは、装置の中央から１センチメートルの距離における交流誘導電流Ｃ２を示す曲線の例を示す。
【００４０】
これらの２つの誘導電流Ｃ１，Ｃ２は、正弦波によって伝達されたパルスの各々を明確に示す。とりわけ、正弦波によって伝達されたパルスの強度は、装置の中央においてより大きく、中央から離れるにつれて減少することが確認される。したがって、導電性ワイヤコイルは、パルス電流が供給されると、装置の中央においては強い誘導電流を、その周辺においては、より低い強度を生成する。
【００４１】
図４は、本発明の装置の試験例およびいくつかの適用期間に亘って装置によって照射された人体の部分における血液の微小循環から得られた結果を図示する。
より詳細には、装置の試験は、次に示す動作モードとともに人の手に対して行われた。休止期間Ｐ１（５ｍｎ持続）、装置の第１適用期間Ｐ２（３ｍｎ持続）、装置の第２適用期間Ｐ３（３ｍｎ持続）、および通常に戻る期間Ｐ４（１５ｍｎ持続）である。
【００４２】
血液灌流画像システムを使用して、試験全体を通じて皮膚灌流の段階（すなわち、血液の微小循環）を直接的に測定することができる。画像から与えられるデータは、休止期間Ｐ１の最後の値の平均に関連して正規化され、試験の間の微小循環における増加率が表される。
【００４３】
図４は、３つの異なる試験に対応する３つの異なる曲線を示すものであり、Ｃ３は、本発明の装置を使用した試験に対応し、曲線Ｃ４は、導電性ワイヤコイルを有するが回転磁石を有しない磁気療法装置を使用した試験に対応し、曲線Ｃ５は、回転磁石を有するが導電性ワイヤコイルを有しない装置を使用した試験に対応する。
【００４４】
適用期間Ｐ２，Ｐ３の間、本発明の装置の適用によって得られた血液の微小循環の効果（曲線Ｃ３）は、２つの他の装置によって得られた効果（曲線Ｃ４および曲線Ｃ５）を単純に加算したものよりも極めて大きいことが確認される。２つの適用期間Ｐ２，Ｐ３の開始時において手の全体の血液灌流において１００％の増加が認められた一方で、導電性ワイヤコイルなしの装置（曲線Ｃ５）では、増加は５０％だけであった。回転磁石なしの装置（曲線４）では、微小循環における効果はごく僅かであった。
【００４５】
さらに、特許出願第ＦＲ１７６０４４３号において記載される装置について、本発明の装置は、厚みの異なる角度磁石セクタを有することができること、角度磁石セクタの対の背面に配置される磁気回路層が提供され得ること、角度磁石セクタの対の周りに配置される磁気シールド層が提供され得ることに留意されたい（図示されていない）。この場合、磁気回路の反対側にアンテナが配置され、これによって、円形のアンテナの磁場が磁気回路によって減衰されない。
【図１】
2021519658.tif 000005
【図２】
2021519658.tif 000006
【図３Ａ】
2021519658.tif 000007
【図３Ｂ】
2021519658.tif 000008
【図４】
2021519658.tif 000009
【国際調査報告】
2021519658.tif 000010
2021519658.tif 000011
2021519658.tif 000012
2021519658.tif 000013
2021519658.tif 000014